(57)【特許請求の範囲】
【請求項１】
本体と、
該本体に支持されているとともに、上記本体から先広がり状に延びている少なくとも４本の支持軸と、
該各支持軸の軸線を中心にして回動可能に該各支持軸に支持されているローラと、
上記本体から延設されているハンドルと、
を備え、
上記ハンドルは、実質的に剛体からなることを特徴とする美容器。
【請求項２】
上記ローラは、互いに隣接する第１の一対のローラと、互いに隣接する第２の一対のローラとを含んでおり、上記第１の一対のローラの配列方向から見て、上記各ローラに接する仮想平面に垂直な仮想垂線に対する上記第１の一対のローラの軸線の傾斜角度が、上記仮想垂線に対する上記第２の一対のローラの軸線の傾斜角度よりも小さいことを特徴とする請求項１に記載の美容器。
【請求項３】
上記各支持軸は、上記本体及び上記ローラに覆われて露出していないことを特徴とする請求項１又は２に記載の美容器。
【請求項４】
上記ハンドルが延びている側から見て、上記本体における上記支持軸が設けられる側の面である支持軸設置面は上記ハンドルよりも幅広に形成されているとともに、上記各支持軸は上記支持軸設置面上に所定間隔をおいて設けられており、上記ローラは上記支持軸設置面よりも上記各支持軸の延びる側に位置していることを特徴とする請求項１〜３のいずれか一項に記載の美容器。
【請求項５】
上記支持軸は、上記本体に回動可能に支持されており、上記ローラは、上記支持軸と一体的に回動可能なように上記支持軸に支持されていることを特徴とする請求項１〜４のいずれか一項に記載の美容器。
【発明の詳細な説明】
【技術分野】
【０００１】
本発明は、美容器に関する。
【背景技術】
【０００２】
従来、肌をローラによって押圧等してマッサージ効果を奏する美容器が種々提案されている。このような美容器の例として、非特許文献１には、本体に４個のローラが備えられた美容器が開示されている。当該本体は、上面側から見た平面視形状が、長四角形の両長辺を内側に緩やかに窪ませるとともに、両短辺を外側に緩やかに膨出させた形状となっている。そして、本体の平面視中央部はその上面が緩やかに膨出しているとともに、下面側には４カ所の隅部にそれぞれローラが配設されている。各ローラの軸線は先広がり状に延びている。当該美容器は、本体の両長辺の窪みに指を沿わせて本体が直接把持される。そして、各ローラを肌面に接触させた状態で、長辺方向又は短辺方向に移動させることにより、先行する２個のローラで肌を押圧し、後行する２個のローラで肌を摘み上げることにより、マッサージ効果を奏する。
【先行技術文献】
【非特許文献】
【０００３】
【非特許文献１】”ＲｅＦａ  ｆｏｒ  Ｂｏｄｙ”、［online］、株式会社ＭＴＧ、［平成２５年１２月１８日検索］、インターネット＜ＵＲＬ：http://www.mtg.gr.jp/products/beauty/product/refa_for_body/index.html＞
【発明の概要】
【発明が解決しようとする課題】
【０００４】
しかしながら、非特許文献１に開示されている美容器はローラが配設された本体が直接把持されて使用されるため、顔のように様々な方向に湾曲する部分に当該美容器を使用する場合、各ローラを当該部分の肌に沿わせて移動させる際に、肌の湾曲に沿わせて本体を把持している手の向きを大きく変えたり、手首を大きく捻ったりする必要がある。そのため、使い勝手が悪く、各ローラを肌に対して適正な角度を維持したまま移動させることが難しいため、十分なマッサージ効果が得られない場合がある。【０００５】
本発明は、かかる背景に鑑みてなされたもので、顔のように様々な方向に湾曲する部分をマッサージするのに適した美容器を提供しようとするものである。
【課題を解決するための手段】
【０００６】
本発明の一の態様は、本体と、
該本体に支持されているとともに、上記本体から先広がり状に延びている少なくとも４本の支持軸と、
該各支持軸の軸線を中心にして回動可能に該各支持軸に支持されているローラと、
上記本体から延設されているハンドルと、
を備え、
上記ハンドルは、実質的に剛体からなることを特徴とする美容器にある。
【発明の効果】
【０００７】
上記美容器において、本体にはハンドルが設けられている。これにより、ハンドルが把持されて使用されることにより、顔のように様々な方向に湾曲する部分に対して、各ローラを当該部分の肌に沿わせて移動させる際に、ハンドルを把持している手の向きを過度に大きく変えたり、手首を過度に大きく捻ったりする必要がない。その結果、本体を直接把持する場合に比べて使い勝手が良くなり、顔のように様々な方向に湾曲する部分に対して各ローラを肌に対して適正な角度を維持したまま移動させやすくなるため、十分なマッサージ効果が得られる。【０００８】
以上のごとく、本発明によれば、顔のように様々な方向に湾曲する部分をマッサージするのに適した美容器を提供することができる。
【図面の簡単な説明】
【０００９】
【図１】実施例１における、美容器の正面図。
【図２】実施例１における、美容器の右側面図。
【図３】実施例１における、美容器の背面図。
【図４】図１における、IV-IV線位置断面図。
【図５】図２における、V-V線位置断面図。
【図６】図２における、VI-VI線位置断面図。
【図７】実施例１における、美容器の使用状態を説明する上面図。
【図８】実施例１における、美容器の使用状態を説明する下面図。
【図９】実施例１における、美容器の使用状態を説明する側面図。
【図１０】実施例１における、美容器の使用状態を説明する正面図。
【発明を実施するための形態】
【００１０】
上記ハンドルは接続部を介して上記本体に接続されており、該接続部は括れていることとすることができる。この場合には、本体とハンドルとの間の接続部が括れているため、ハンドルを把持する際に、接続部の括れに指が沿うように誘導されることから、ハンドルを把持しやすい。そのため、顔のように様々な方向に湾曲する部分に対して使用する際に、ハンドルを把持している手の向きを変えても、ハンドルを十分に把持できるため、使用感が向上する。
【００１１】
上記美容器において、「上記本体と上記ハンドルとの接続部が括れている」とは、接続部が本体側からハンドル側に向かって、細くなった後に太くなるように形成されていることをいう。換言すると、接続部は、本体側からハンドル側に向かう方向に垂直な断面において、その断面位置を本体側からハンドル側にずらしていくと、当該断面の外形の面積が、本体側からハンドル側に向かうにしたがって小さくなった後、さらにハンドル側に向かうち大きくなっていることをいう。
【００１２】
上記ローラは、互いに隣接する第１の一対のローラと、互いに隣接する第２の一対のローラとを含んでいるとともに、上記第１の一対のローラと上記第２の一対のローラとが上記ハンドルが延設される方向に沿って並んでおり、上記接続部は、上記第１の一対のローラの配列方向から見て、上記支持軸が先広がり状に延びている側と反対側の面はなだらかに形成され、上記支持軸が先広がり状に延びている側の面は凹むように形成されて括れていることが好ましい。この場合は、ハンドルを把持する際に、各ローラが手のひら側に位置するように誘導されることとなるため、各ローラを肌に対して適正な角度を維持しやすくなる。これにより、使い勝手が向上する。
【００１３】
上記ローラは、互いに隣接する第１の一対のローラと、互いに隣接する第２の一対のローラとを含んでおり、上記第１の一対のローラの配列方向から見て、上記各ローラに接する仮想平面に垂直な仮想垂線に対する上記第１の一対のローラの軸線の傾斜角度が、上記仮想垂線に対する上記第２の一対のローラの軸線の傾斜角度よりも小さいことが好ましい。この場合には、当該美容器を、上記第１の一対のローラ及び上記第２の一対のローラを肌面に当接させた状態で、第２の一対のローラから第１の一対のローラに向かう方向に往復動作させて使用した場合には、湾曲する部分の肌面に対しても、先行する一対のローラによって肌面を適度に押圧する効果が得られるとともに、後行する一対のローラによって、肌を適度に摘み上げる効果が得られる。
【００１４】
さらに、当該美容器は以下のように使用することができる。まず、上記第２の一対のローラが肌面から離隔した状態で上記第１の一対のローラを肌面に当接させて、当該美容器を第２の一対のローラから第１の一対のローラに向かう方向に移動させつつ第２の一対のローラを肌面に当接させる（第１段階）。その後、第１の一対のローラ及び第２の一対のローラが肌面に当接した状態で、第２の一対のローラから上記第１の一対のローラに向かう方向に移動させる（第２段階）。さらに第２の一対のローラから第１の一対のローラに向かう方向に移動させつつ第１の一対のローラを肌面から離隔させる（第３段階）。
【００１５】
当該美容器を、上述の如く使用すれば、まず、第１段階において、肌面に当接している第１の一対のローラによって肌面を適度に摘み上げる効果が得られる。さらに、第２段階において、先行する第１の一対のローラによる肌の摘み上げが維持されるとともに、後行する第２の一対のローラによって肌面を適度に摘み上げる効果が得られる。その後、第３段階において、第１の一対のローラによる肌の摘み上げが解除されるとともに、後行する第２の一対のローラによって引き続き肌を適度に摘み上げる効果が得られる。そして、第１の一対のローラの配列方向から見て、上記各ローラに接する仮想平面に垂直な仮想垂線に対する上記第１の一対のローラの軸線の傾斜角度が、上記仮想垂線に対する上記第２の一対のローラの軸線の傾斜角度よりも小さい場合には、第１の一対のローラによる肌の摘み上げ量よりも第２の一対のローラによる摘み上げ量が多くなることから、上記第１段階及び第２段階における第１の一対のローラによる摘み上げ効果が比較的弱く奏されるとともに、上記第２段階及び第３段階における第２の一対のローラによる摘み上げ効果が比較的強く奏されることとなる。これにより、肌の摘み上げ効果に強弱が付与されるため、マッサージ効果が一層向上する。また、強弱２種類の摘み上げ効果が奏されることによって、使用者に肌が摘み上げられていることをより強く認識させることができるため、使用感の向上が図られる。
【００１６】
上記ハンドルは、上記第１の一対のローラから上記第２の一対のローラに向かう方向に向けて延びていることが好ましい。この場合には、ハンドルを把持して、美容器を第１の一対のローラから第２の一対のローラに向かう方向に往復動作させることが容易となる。その結果、第１の一対のローラ及び第２の一対のローラのうち、先行する一対のローラによる肌の押圧効果と、後行する一対のローラによる摘み上げ効果とを容易に発揮させることができ、美容器の操作性が向上する。
【００１７】
上記本体は、上記支持軸が延びている側から見て上記接続部よりも幅広に形成されていることが好ましい。この場合には、本体の剛性を高めることができる。当該美容器は、本体から延設されたハンドルを把持した状態で、本体に先広がり状に設けられた各支持軸に取り付けられた各ローラを肌に当接させるため、使用時において本体には支持軸を介してローラを互いに離隔させる方向に負荷がかかるとともに延設されたハンドルとの接続部にも負荷がかかる。しかし、上述の如く本体の剛性が高められることから、これらの負荷に対して本体が撓んだりすることが抑制される。これにより、ローラを確実に肌面に当接させることができるため、湾曲する部分に使用する場合にも高いマッサージ効果が得られる。また、本体が耐久性に優れるため、様々な方向に湾曲する部分に使用するのに適した美容器となる。
【００１８】
上記各支持軸は、上記本体及び上記ローラに覆われて露出していないことが好ましい。この場合には、使用時において、各支持軸に肌や髪等が触れることが防止されるため、使用者に対して余計な負荷をかけることを防止でき、使用感が向上する。
【００１９】
上記ローラの直径は２０〜４０ｍｍとすることができ、好ましくは２５〜３５ｍｍ、より好ましくは２８〜３２ｍｍである。これにより、ローラが過度に大きくなることや過度に小さくなることが防止され、顔のように様々な方向に湾曲する部分に対して適度な肌の押圧効果と摘み上げ効果が奏される。また、ハンドルに対してローラが配設される本体が過度に大きくなることや過度に小さくなるが防止されて適度な大きさとなる。そのため、全体の重量バランスがよく、操作性に優れる。
【００２０】
上記ハンドルが延びている側から見て、上記本体における上記支持軸が設けられる側の面である支持軸設置面は上記ハンドルよりも幅広に形成されているとともに、上記各支持軸は上記支持軸設置面上に所定間隔をおいて設けられており、上記ローラは上記支持軸設置面よりも上記各支持軸の延びる側に位置していることが好ましい。この場合には、本体の剛性を確保しつつ、隣り合うローラを所定間隔に配置することができる。そのため、ハンドルを把持してローラを顔のように様々な方向に湾曲する部分の肌面に押し当てても、隣り合うローラを所定間隔に保った状態とすることができる。これにより、湾曲する部分に対して適度な肌の押圧効果と摘み上げ効果を一層効果的に奏することができるため、様々な方向に湾曲する部分に使用するのに適した美容器となる。
【００２１】
上記ハンドルは、実質的に剛体からなることが好ましい。この場合には、ハンドルが撓みにくくなるため、ハンドルに付与した力を各ローラへ忠実に伝達できる。そのため、ハンドルへ付与する力加減を変化させることにより、マッサージする部位に適した強さで押圧及び摘み上げを容易に行うことができ、高いマッサージ効果が得られる。なお、「実質的に剛体」とは、当該美容器の通常の使用状態においてハンドルに付与される力によって、ほとんど撓まない程度の剛性を有するものをいう。
【００２２】
上記支持軸は、上記本体に回動可能に支持されており、上記ローラは、上記支持軸と一体的に回動可能なように上記支持軸に支持されていることとすることができる。この場合には、本体に支持軸を回動可能にするための構造を設ければよく、ローラ内部に、ローラを回動可能にするための構造を設ける必要がなくなることから、ローラの設計自由度が向上する。
【実施例】
【００２３】
（実施例１）
本例の実施例に係る美容器につき、図１〜図１０を用いて説明する。
図１に示すように、本例の美容器１は、本体１０と、４本の支持軸４０ａ〜４０ｄと、ローラ２０と、ハンドル１１とを備える。
支持軸４０ａ〜４０ｄは、本体１０に支持されているとともに、本体１０から先広がり状に延びている。
ローラ２０として、第１ローラ２０ａ、第２ローラ２０ｂ、第３ローラ２０ｃ及び第４ローラ２０ｄの４個が備えられ、各支持軸４０ａ〜４０ｄの軸線Ｌａ〜Ｌｄを中心にして回動可能に該各支持軸４０ａ〜４０ｄに支持されている。
ハンドル１１は、本体１０から延設されている。
そして、本体１０とハンドル１１との接続部１２が括れている。【００２４】
以下、本例の美容器１について、詳述する。
本体１０は、ＡＢＳ樹脂製であって、クロムメッキが施されている。図４に示すように、本体１０は、本体基部１０ａ、上側本体カバー１０ｂ及び下側本体カバー１０ｃを備える。本体基部１０ａにはシャフトホルダ１７がねじ止めされている。本体基部１０ａは上側本体カバー１０ｂにねじ止めされている。図５、図６に示すように、本体基部１０ａと上側本体カバー１０ｂとの間には、本体基部１０ａと上側本体カバー１０ｂとの当接部には樹脂製のガスケット１０ｄが介設されている。ガスケット１０ｄにより、本体基部１０ａと上側本体カバー１０ｂとの間がシールされている。本体１０の内部には後述の太陽電池パネル３０が備えられている。そして、本体１０の中央には後述の窓部１３が設けられている。【００２５】
さらに、図４に示すように、本体基部１０ａの上側本体カバー１０ｂと反対側には、下側本体カバー１０ｃが設けられている。下側本体カバー１０ｃには図示しない係合爪が形成されており、当該係合爪が、本体基部１０ａに形成された図示しない係合溝に嵌合することにより、下側本体カバー１０ｃが本体基部１０ａに固定されている。
なお、本体１０の長手方向をＹとし、本体基部１０ａ、上側本体カバー部１０ｂ及び下側本体カバー１０ｃの重ね合わせ方向（厚さ方向）をＺとし、長手方向Ｙと厚さ方向Ｚに垂直な方向（幅方向）をＸとする。【００２６】
図１に示すように、本体１０は長手方向Ｙの第１方向（Ｙ１方向）側から反対側の第２方向（Ｙ２方向）側に延びる平面視楕円状を成している。図３に示すように、本体１０は、支持軸４０ａ〜４０ｄが延びている側から見て後述の接続部１２の幅Ｗ４よりも幅広に形成されている。すなわち、本体１０の幅方向Ｘの長さＷ０が接続部１２の幅Ｗ４よりも大きい。Ｗ０は、３０〜７０ｍｍとすることができ、本例では４６ｍｍである。Ｗ４は、１５〜３０ｍｍとすることができ、本例では２０ｍｍである。【００２７】
図３に示すように、本体１０における下側本体カバー１０ｃ側（厚さ方向Ｚの第１方向Ｚ１側）の面は、支持軸４０ａ〜４０ｄが所定間隔をおいて設けられる支持軸設置面１０ｅとなっている。そして、本体１０は、図２に示すように、支持軸４０ａ〜４０ｄが延びる側に凸状に湾曲して突出している。そして、図３に示すように、支持軸４０ａ〜４０ｄが延びている側から見て４個のローラ２０ａ〜２０ｂの中心位置と重なる位置Ｏにおいて、図２に示すように、本体１０は支持軸４０ａ〜４０ｄが延びている側に最も突出している。【００２８】
図１に示すように、ハンドル１１は、本体１０からＹ２方向に向けて延設されている。本体１０とハンドル１１とは一体的に形成されている。本例では、ハンドル１１は、実質的に剛体からなる。「実質的に剛体」とは、美容器１の通常の使用状態においてハンドルに付与される力によって、ほとんど撓まない程度の剛性を有することをいうものであって、本例では、ハンドル１１の形成材料は、実質的に剛体とするために、本体１０と同様にＡＢＳ樹脂からなる。なお、ハンドル１１の形成材料は、実質的に剛体とするために、ＡＢＳ樹脂の他、強化プラスチック、木材、石材、セラミック材、ステンレス等多種多様の材料を採用することもできる。ハンドル１１は平面視において略棒状であって、図２に示すように、ハンドル１１の中央部１１ｃにおいて下側本体カバー１０ｃ側（厚さ方向Ｚの第１方向Ｚ１側）に膨出している。そして、第１端部１１ａとその反対側の第２端部１１ｂに向かって縮径している。そして、第１端部１１ａにおいて、本体１０につながっており、接続部１２が形成されている。これにより、ハンドル１１は本体１０に対して、下側本体カバー１０ｃ側（厚さ方向Ｚの第１方向Ｚ１側）に若干傾斜している。【００２９】
図２に示すように、側方から見てハンドル１１の最も太い部分の厚さＫ１は２５〜４５ｍｍとすることができ、本例では３０ｍｍである。また、ハンドル１１の最も細い部分（第１端部１１ａ）の厚さＫ２は１５〜３０ｍｍとすることができ、本例では２０ｍｍである。また、本体１０において、側方から見て最も太い部分の厚さＫ３は２５〜４５ｍｍとすることができ、本例では３０ｍｍである。そして、接続部１２は、後述する第１の一対のローラ（第１ローラ２０ａと第２ローラ２０ｂ）の配列方向（幅方向Ｘ、図３参照）から見て、上記支持軸４０ａ〜４０ｂが先広がり状に延びている側と反対側（Ｚ２側）の面１２ａはなだらかに形成され、支持軸４０ａ〜４０ｂが先広がり状に延びている側（Ｚ１側）の面１２ｂは凹むように形成されて括れている。すなわち、接続部１２は括れるように形成されている。そして、本例では、接続部１２は、支持軸４０ａ〜４０ｄが延びている側から反対側（Ｚ２方向）に向かって凹むように括れている。【００３０】
図４〜図６に示すように、本体基部１０ａ及び下側カバー１０ｃには、４個の支持筒１６ａ〜１６ｄが一体形成されている。支持筒１６ａ〜１６ｄには、支持軸４０ａ、４０ｂ、４０ｃ、４０ｄが挿通されている。図３に示すように、支持軸４０ａ〜４０ｄはそれぞれ、略円柱状を成しており、その軸方向の略中央部には径方向外側に突出して形成された鍔部４１ａ〜４１ｄが設けられている。支持軸４０ａ〜４０ｄはいずれも、真鍮製であって、クロムメッキが施されており、導電性を有している。支持軸４０ａ〜４０ｄは、本体１０の本体基部１０ａから厚さ方向Ｚの第１方向Ｚ１側に先広がり状に延びている。すなわち、図３に示すように、下側本体カバー１０ｃ側（厚さ方向Ｚの第１方向Ｚ１側）から見て互いに離隔するように放射状に延びている。図５、図６に示すように、支持軸４０ａ〜４０ｄは、本体１０及びローラ２０に覆われて露出していない。なお、支持軸４０ａ〜４０ｄはいずれも、真鍮製に限らず、ステンレス製とすることもできる。【００３１】
図５、図６に示すように、支持軸４０ａ〜４０ｄにおける本体１０側の第１端部４２ａ、４２ｂ、４２ｃ、４２ｄにはネジ溝が形成されており、フランジナット３１が取り付けられている。フランジナット３１の外径は本体基部１０ａの支持筒１６ａ〜１６ｄの内径よりも大きいため、フランジナット３１が取り付けられることにより、支持軸４０ａ〜４０ｄの支持筒１６ａ〜１６ｄに対する抜け止めがなされている。なお、フランジナット３１の内部にはリング状のナイロン樹脂部材が設けられており、フランジナット３１の緩みの発生が抑制されている。【００３２】
そして、支持軸４０ａ〜４０ｄの第１端部４２ａ、４２ｂ、４２ｃ、４２ｄは、本体１０の内部に配設されているシャフトホルダ１７に接続されている。シャフトホルダ１７はＡＢＳ樹脂製である。シャフトホルダ１７には、後述の太陽電池パネル３０に電気的に接続されているリード線（図示しない）が設けられており、当該リード線により支持軸４０ａ〜４０ｄと太陽電池パネル３０とが電気的に接続されている。なお、リード線を用いることに替えて、ＡＢＳ樹脂製のシャフトホルダ１７に金属をメッキすることによって導電性を付与するとともに、当該シャフトホルダ１７を介して支持軸４０ａ〜４０ｄと太陽電池パネル３０とが電気的に接続されるようにしてもよい。【００３３】
支持軸４０ａ〜４０ｄにおける本体１０とは反対側の第２端部４３ａ〜４３ｄには、円筒状の軸受部材１９が嵌合されている。軸受部材１９は筒状の合成樹脂製ベアリングであって、内外周にクロムメッキが施されている。支持軸４０ａ〜４０ｄの第２端部４３ａ〜４３ｄは軸受部材１９から突出しており、Ｃリング２５が嵌め込まれている。これにより、支持軸４０ａ〜４０ｄが軸受部材１９から抜けることが防止されている。また、軸受部材１９の外周には、弾性変形可能な一対の係止爪１９ａが突設されている。なお、軸受部材１９にクロムメッキを施すことに替えて、軸受部材１９を導電性材料により形成してもよい。【００３４】
軸受部材１９には、ローラ２０ａ〜２０ｄが挿通されて回動可能に支持されている。ローラ２０ａ〜２０ｄの形状は球状に形成されている。なお、本明細書において「球状」とは、厳密な球形に限らず、厳密には球形ではなくとも、球形を扁平させた楕円球形や、球形を所定方向に引き伸ばした形状などの略球形と認識できるものを含む広い概念であるものとする。また、ローラの表面に微細な溝や突起が形成されている場合であっても、ローラ全体として略球形であるものも本明細書において「球状」に含むものとする。本例では、ローラ２０ａ〜２０ｄの形状は球形を本体１０側に若干引き伸ばした形状を成している。また、ローラ２０ａ〜２０ｄは中空であって、本体１０に対向する部分が開口している。ローラ２０ａ〜２０ｄは、ＡＢＳ樹脂製のローラコア２６と、該ローラコア２６の先端内周に嵌着されたＰＣ樹脂製のキャップ２７と、ローラコア２６の外周に被覆成形された合成樹脂よりなるローラ被覆部２８とを有する。【００３５】
ローラ被覆部２８には、導電部としてのプラチナメッキが施され、軸受部材１９のクロムメッキと電気的に接続されている。ローラコア２６の内周には軸受部材１９の係止爪１９ａに係合可能な段差部２６ａが形成されている。そして、ローラ２０ａ〜２０ｄが軸受部材１９に挿通された状態で、係止爪１９ａが段差部２６ａに係合され、ローラ２０ａ〜２０ｄが軸受部材１９に対して保持されている。これにより、ローラ２０ａ〜２０ｄは軸受部材１９を介して、支持軸４０ａ〜４０ｄのそれぞれの軸線Ｌａ、Ｌｂ、Ｌｃ、Ｌｄを中心にしてそれぞれ回動可能に取り付けられている。また、図３に示すように、各ローラ２０ａ〜２０ｄの外周面２１ａ〜２１ｄには、多数の三角形の平面が連続的に形成されたいわゆるダイヤカットが施されている。【００３６】
図５、図６に示すように、下側本体カバー１０ｃとローラ２０ａ〜２０ｄとの間にはそれぞれ、絶縁カラー１５が設けられている。絶縁カラー１５は、絶縁性を有する樹脂製の環状部材である。絶縁カラー１５は支持軸４０ａ〜４０ｄに挿通されており、支持軸４０ａ〜４０ｄの中央に形成された鍔部４１ａ〜４１ｄに当接しているとともに、下側本体カバー１０ｃにも当接している。これにより、下側本体カバー１０ｃの４個の支持筒１６ａ〜１６ｄと支持軸４０ａ〜４０ｄとの間がシールされている。さらに、支持軸４０ａ〜４０ｄのがたつきの発生が防止されている。さらに、下側本体カバー１０ｃの外表面とローラ２０ａ〜２０ｄの外周面２１ａ〜２１ｄとの導電部間の電気絶縁性が確保されている。【００３７】
図３に示すように、本例では、４個のローラ２０ａ〜２０ｄはそれぞれの中心が仮想矩形Ｔの頂点位置に位置するように配設されている。当該仮想矩形Ｔは長手方向Ｙに長い矩形状を成している。したがって、４個のローラ２０ａ〜２０ｄのうち、第１の一対のローラ（第１ローラ２０ａと第２ローラ２０ｂ）の配列方向と、第２の一対のローラ（第３ローラ２０ｃと第４ローラ２０ｄ）の配列方向とは平行となっている。そして、４個のローラ２０ａ〜２０ｄのうち、第１の一対のローラ（第１ローラ２０ａと第２ローラ２０ｂ）の配列方向は幅方向Ｘと一致しており、第２の一対のローラ（第３ローラ２０ｃと第４ローラ２０ｄ）の配列方向も幅方向Ｘと一致している。そして、第１の一対のローラと第２の一対のローラとは、ハンドル１１が延設される方向（Ｙ２方向）に沿って並んでいる。【００３８】
図１に示すように、第１ローラ２０ａ及び第２ローラ２０ｂの軸線Ｌａ、Ｌｂは長手方向Ｙの第１方向Ｙ１側に傾斜している。図２に示すように、幅方向Ｘから見たときの第２ローラ２０ｂの軸線Ｌｂと、４個のローラ２０ａ〜２０ｄに接する仮想平面Ｓに垂直な仮想垂線Ｒとのなす角（すなわち、側方投影角）α１は０〜４０°とすることができ、本例では１５°である。第１ローラ２０ａの軸線Ｌａと仮想垂線Ｒとのなす角（側方投影角）についてもα１と同様に設定されている。【００３９】
一方、第３ローラ２０ｃ及び第４ローラ２０ｄの軸線Ｌｃ、Ｌｄは長手方向Ｙの第２方向Ｙ２側に傾斜している。図２に示すように、幅方向Ｘから見たときの第３ローラ２０ｃの軸線Ｌｃと仮想平面Ｓの仮想垂線Ｒとのなす角（すなわち、側方投影角）α２は２０〜６５°とすることができ、本例では３０°である。第４ローラ２０ｄの軸線Ｌｄと仮想垂線Ｒとのなす角（側方投影角）についてもα２と同様に設定されている。【００４０】
すなわち、第１の一対のローラ（第１ローラ２０ａと第２ローラ２０ｂ）の配列方向（幅方向Ｘ）から見て、仮想垂線Ｒに対する第１の一対のローラの軸線Ｌａ、Ｌｂの傾斜角度α１は、仮想垂線Ｒに対する第２の一対のローラの軸線Ｌｃ、Ｌｄの傾斜角度α２よりも小さい。【００４１】
そして、図１に示すように、第１の一対のローラ（第１ローラ２０ａと第２ローラ２０ｂ）を支持している一対の支持軸４０ａ、４０ｂは第１の一対のローラの配列方向（幅方向Ｘ）に広がるように延びている。すなわち、支持軸４０ａと支持軸４０ｂの幅方向Ｘ（第１の一対のローラの配列方向）における間隔は、先端（本体１０と反対側の端部）に向かうにつれて広がっている。同様に、第２の一対のローラ（第３ローラ２０ｃと第４ローラ２０ｄ）を支持している一対の支持軸４０ｃ、４０ｄは第２の一対のローラの配列方向（幅方向Ｘ）に広がるように延びている。すなわち、支持軸４０ｃと支持軸４０ｄの幅方向Ｘ（第２の一対のローラの配列方向）における間隔は、先端（本体１０と反対側の端部）に向かうにつれて広がっている。【００４２】
図５に示すように、第１ローラ２０ａの軸線Ｌａと第２ローラ２０ｂの軸線Ｌｂとのなす角β１は６０〜８０°とすることができ、好ましくは６５〜７５°とすることができ、本例では７０°である。なお、軸線Ｌａと軸線Ｌｂとのなす角β１は、軸線Ｌａ、Ｌｂを含む平面の法線方向から見たときの両者のなす角をいうものとする。【００４３】
一方、図６に示すように、第３ローラ２０ｃの軸線Ｌｃと第４ローラ２０ｄの軸線Ｌｄとのなす角β２は６０〜８０°とすることができ、好ましくは６５〜７５°とすることができ、本例では７０°である。なお、軸線Ｌｃと軸線Ｌｄとのなす角β２は、軸線Ｌｃ、Ｌｄを含む平面の法線方向から見たときの両者のなす角をいうものとする。【００４４】
図３に示すように、４個のローラ２０ａ〜２０ｄの直径Ｄはいずれも２０〜４０ｍｍとすることができ、好ましくは２５〜３５ｍｍとすることができ、本例では３０ｍｍである。そして、第１ローラ２０ａの外周面２１ａと第２ローラ２０ｂの外周面２１ｂとの間の距離Ｗ１は８〜１２ｍｍとすることができ、好ましくは８．５〜１０ｍｍとすることができ、本例では９ｍｍである。なお、第３ローラ２０ｃの外周面２１ｃと第４ローラ２０ｄの外周面２１ｄとの間の距離もＷ１と同一である。【００４５】
また、第２ローラ２０ｂの外周面２１ｂと第３ローラ２０ｃの外周面２１ｃとの間の距離Ｗ２は、１２ｍｍ〜２０ｍｍとすることができ、好ましくは１４〜１８ｍｍとすることができ、本例では１５ｍｍである。なお、第１ローラ２０ａの外周面２１ａと第４ローラ２０ｄの外周面２１ｄとの間の距離もＷ２と同一である。【００４６】
また、図８に示すように、ハンドル１１が延びている側から見て、支持軸設置面１０ｅは、ハンドル１１よりも幅広に形成されている。すなわち、支持軸設置面１０ｅの幅（すなわち、本体１０の幅方向Ｘの長さＷ０）は、ハンドル１１の幅Ｗ５よりも大きくなっている。そして、図２〜図４に示すように、ローラ２０は支持軸設置面１０ｅよりも各支持軸４０ａ〜４０ｄの延びる側に位置している。【００４７】
図１に示すように、本体１０の正面側中央部には、窓部１３が形成されている。窓部１３にはレンズ１４がはめ込まれている。そして、レンズ１４の裏面側（本体１０の内部側）には太陽電池パネル３０が配設されている。太陽電池パネル３０は、レンズ１４を介して受光可能となっている。【００４８】
太陽電池パネル３０は、図示しない端子等を介して、導電性のプラチナメッキが施された４個のローラ２０ａ〜２０ｄ及び導電性のクロムメッキが施された本体１０に電気的に接続されている。これにより、美容器１の使用時にローラ２０ａ〜２０ｄの外周面２１ａ〜２１ｄが肌に接触することにより、ローラ２０と本体１０とが人体を介して電気的に接続されることとなる。そして、太陽電池パネル３０が窓部１３のレンズ１４を介して受光して発電することにより、ローラ２０ａ〜２０ｄの外周面２１ａ〜２１ｄと肌との間に微弱電流が流れる。その結果、肌への刺激が増し、マッサージ効果が一層高まる。【００４９】
次に、美容器１の使用態様を説明する。
まず、この美容器１を、使用者がハンドル１１を把持した状態で、４個のローラ２０ａ〜２０ｄの各外周面２１ａ〜２１ｄを顔のように様々な方向に湾曲する部分の肌面５０（図２参照）に押し当てて接触させながら美容器１を長手方向Ｙの第１方向Ｙ１（矢印Ｐの方向）へ移動させる。これにより、図３に示すように、第１ローラ２０ａは矢印Ｐａの方向に回転させられ、第２ローラ２０ｂは矢印Ｐｂの方向に回転させられる。そして、第１ローラ２０ａ及び第２ローラ２０ｂにより肌面５０（図２参照）が押圧される。さらに、図８に示すように、第３ローラ２０ｃは矢印Ｐｃの方向に回転させられ、第４ローラ２０ｄは矢印Ｐｄの方向に回転させられる。これによって、第３ローラ２０ｃ及び第４ローラ２０ｄとの間に位置する肌面５０が、第３ローラ２０ｃ及び第４ローラ２０ｄによって両者の回転に伴って巻き上げられるようにして摘み上げられる。【００５０】
そして、元に戻すように美容器１を図２、図３の長手方向Ｙの第２方向Ｙ２（矢印Ｑの方向）へ移動させると、第１ローラ２０ａは矢印Ｑａの方向に回転させられ、第２ローラ２０ｂは矢印Ｑｂの方向に回転させられる。これにより、図７に示すように、第１ローラ２０ａ及び第２ローラ２０ｂ間に位置する肌面５０が、第１ローラ２０ａ及び第２ローラ２０ｄによって両者の回転に伴って巻き上げられるようにして摘み上げられる。さらに、図３に示すように、第３ローラ２０ｃは矢印Ｑｃの方向に回転させられ、第４ローラ２０ｄは矢印Ｑｄの方向に回転させられ、第３ローラ２０ｃ及び第４ローラ２０ｄにより肌面５０（図２参照）が押圧される。【００５１】
さらに、図２に示すように、使用者がハンドル１１を把持した状態で、４個のローラ２０ａ〜２０ｄの各外周面２１ａ〜２１ｄを顔のように様々な方向に湾曲する部分の肌面５０に押し当てて接触させながら美容器１を幅方向Ｘの第１方向Ｘ１（Ｕ方向）へ移動させる。これにより、図３に示すように、第１ローラ２０ａは矢印Ｐａの方向に回転させられ、第４ローラ２０ｃは矢印Ｑｄの方向に回転させられることにより、肌面５０が押圧される。さらに、第２ローラ２０ｂは矢印Ｐｂの方向に回転させられ、第３ローラ２０ｃは矢印Ｑｃの方向に回転させられる。これによって、図示しないが、第２ローラ２０ｂと第３ローラ２０ｃとの間に位置する肌面５０が第２ローラ２０ｂ及び第３ローラ２０ｃによって両者の回転に伴って巻き上げられるようにして摘み上げられる。【００５２】
そして、元に戻すように美容器１を幅方向Ｘの第２方向Ｘ２（Ｖ方向）へ移動させると、第１ローラ２０ａは矢印Ｑａの方向に回転させられ、第４ローラ２０ｃは矢印Ｐｄの方向に回転させられることにより、肌面５０が押圧される。さらに、第２ローラ２０ｂは矢印Ｑｂの方向に回転させられ、第３ローラ２０ｃは矢印Ｐｃの方向に回転させられる。これによって、図示しないが、第１ローラ２０ａと第４ローラ２０ｄとの間に位置する肌面５０が第１ローラ２０ａ及び第４ローラ２０ｄによって両者の回転に伴って巻き上げられるようにして摘み上げられる。【００５３】
さらに、美容器１は以下のように使用することができる。まず、図９（ａ）に示すように、第２の一対のローラ（第３ローラ２０ｃ及び第４ローラ２０ｄ）が肌面から離隔した状態で第１の一対のローラ（第１ローラ２０ａ及び第２ローラ２０ｂ）を肌面に当接させて、当該美容器１を第２の一対のローラ（第３ローラ２０ｃ及び第４ローラ２０ｄ）から第１の一対のローラ（第１ローラ２０ａ及び第２ローラ２０ｂ）に向かう方向（移動方向Ｐ）に移動させつつ、図９（ｂ）に示すように、第２の一対のローラ（第３ローラ２０ｃ及び第４ローラ２０ｄ）を肌面に当接させる（第１段階）。その後、第１ローラ２０ａ、第２ローラ２０ｂ、第３ローラ２０ｃ及び第４ローラ２０ｄが肌面５０に当接した状態で、移動方向Ｐに移動させる（第２段階）。さらに移動方向Ｐに移動させつつ、図９（ｃ）に示すように、第１の一対のローラ（第１ローラ２０ａ及び第２ローラ２０ｂ）を肌面５０から離隔させる（第３段階）。【００５４】
本例の美容器１を、上述の如く使用すれば、まず、第１段階において、肌面５０に当接している第１の一対のローラ（第１ローラ２０ａ及び第２ローラ２０ｂ）によって肌面５０を適度に摘み上げる効果が得られる。さらに、第２段階において、先行する第１の一対のローラ（第１ローラ２０ａ及び第２ローラ２０ｂ）による肌の摘み上げが維持されるとともに、後行する第２の一対のローラ（第３ローラ２０ｃ及び第４ローラ２０ｄ）によって肌面５０を適度に摘み上げる効果が得られる。その後、第３段階において、第１の一対のローラ（第１ローラ２０ａ及び第２ローラ２０ｂ）による肌の摘み上げが解除されるとともに、後行する第２の一対のローラ（第３ローラ２０ｃ及び第４ローラ２０ｄ）によって引き続き肌面５０を適度に摘み上げる効果が得られる。【００５５】
そして、本例では、第１の一対のローラ（第１ローラ２０ａ及び第２ローラ２０ｂ）の配列方向から見て、図２に示すように各ローラが肌面５０に接した状態における、なす角α１がなす角α２よりも小さいため、第１の一対のローラ（第１ローラ２０ａ及び第２ローラ２０ｂ）による肌の摘み上げ量よりも第２の一対のローラ（第３ローラ２０ｃ及び第４ローラ２０ｄ）による摘み上げ量が多くなることから、上記第１段階及び第２段階における第１の一対のローラ（第１ローラ２０ａ及び第２ローラ２０ｂ）による摘み上げ効果が比較的弱く奏されるとともに、上記第２段階及び第３段階における第２の一対のローラ（第３ローラ２０ｃ及び第４ローラ２０ｄ）による摘み上げ効果が比較的強く奏されることとなる。これにより、肌の摘み上げ効果に強弱が付与されるため、マッサージ効果が一層向上する。また、強弱２種類の摘み上げ効果が奏されることによって、使用者に肌が摘み上げられていることをより強く認識させることができるため、使用感の向上が図られる。【００５６】
さらに、美容器１は以下のように使用することができる。まず、図１０（ａ）に示すように、第２ローラ２０ｂ及び第３ローラ２０ｃが肌面５０から離隔した状態で第１ローラ２０ａ及び第４ローラ２０ｄを肌面５０に当接させて、美容器１を第２ローラ２０ｂから第１ローラ２０ａに向かう方向（移動方向Ｕ）に移動させつつ、図１０（ｂ）に示すように、第２ローラ２０ｂ及び第３ローラ２０ｃを肌面５０に当接させる（第４段階）。その後、第１ローラ２０ａ、第２ローラ２０ｂ、第３ローラ２０ｃ及び第４ローラ２０ｄが肌面５０に当接した状態で、移動方向Ｕに移動させる（第５段階）。さらに移動方向Ｕに移動させつつ、図１０（ｃ）に示すように、第１ローラ２０ａ及び第４ローラ２０ｄを肌面５０から離隔させる（第６段階）。【００５７】
この使用態様によれば、上記第４段階において、先行する第１ローラ２０ａと第４ローラ２０ｄとによって肌面５０を適度に摘み上げる効果が得られる。その後、第５段階において、先行する第１ローラ２０ａと第４ローラ２０ｄとによる肌面５０の摘み上げが維持されつつ後行する第２ローラ２０ｂ及び第３ローラ２０ｃによって肌面５０を適度に摘み上げる効果が得られる。そして、第６段階において、第１ローラ２０ａ及び第４ローラ２０ｄによる肌面５０の摘み上げが解除されて、後行する第２ローラ２０ｂ及び第３ローラ２０ｃによって引き続き肌面５０を適度に摘み上げる効果が得られる。【００５８】
次に、本例の美容器１の作用効果を説明する。
本例の美容器１では、本体１０にはハンドル１１が設けられている。これにより、ハンドル１１が把持されて使用されることにより、顔のように様々な方向に湾曲する部分に対して、各ローラを当該部分の肌に沿わせて移動させる際に、ハンドル１１を把持している手の向きを過度に大きく変えたり、手首を過度に大きく捻ったりする必要がない。その結果、本体１０を直接把持する場合に比べて使い勝手が良くなり、顔のように様々な方向に湾曲する部分に対して各ローラ２０を肌に対して適正な角度を維持したまま移動させやすくなるため、十分なマッサージ効果が得られる。【００５９】
さらに、本例では、本体１０とハンドル１１との接続部１２が括れているため、ハンドル１１を把持する際に、接続部１２の括れに指が沿うように誘導されるため、ハンドル１１を把持しやすい。そのため、顔のように様々な方向に湾曲する部分に対して使用する際に、ハンドル１１を把持している手の向きを変えても、ハンドル１１を十分に把持できるため、使用感が向上する。【００６０】
また、本例では、接続部１２は、図２に示すように、第１の一対のローラ（第１ローラ２０ａと第２ローラ２０ｂ）の配列方向（幅方向Ｘ、図３参照）から見て、支持軸４０ａ〜４０ｂが先広がり状に延びている側と反対側（Ｚ２側）の面１２ａはなだらかに形成され、支持軸４０ａ〜４０ｂが先広がり状に延びている側（Ｚ１側）の面１２ｂは凹むように形成されて括れている。すなわち、支持軸４０ａ〜４０ｂが延びている側から反対側（Ｚ２方向）に向かって凹むように括れている。これにより、ハンドル１１を把持する際に、各ローラ２０が手のひら側に位置するように誘導されることとなるため、各ローラ２０を肌に対して適正な角度を維持しやすくなる。これにより、使い勝手が向上する。【００６１】
本例の美容器１によれば、第１の一対のローラ（第１ローラ２０ａ及び第２ローラ２０ｂ）の配列方向（幅方向Ｘ）から見て、仮想垂線Ｒに対する第１の一対のローラの軸線Ｌａ、Ｌｂの傾斜角度α１が、仮想垂線Ｒに対する第２の一対のローラ（第３ローラ２０ｃ及び第４ローラ２０ｄ）の軸線Ｌｃ、Ｌｄの傾斜角度α２よりも小さい。これにより、湾曲する部分の肌面５０に対しても、後行する一対のローラにより肌を適度に摘み上げる効果が得られる。さらに、第１ローラ２０ａ及び第２ローラ２０ｂによる肌の摘み上げ量よりも、第３ローラ２０ｃ及び第４ローラ２０ｄによる肌の摘み上げ量が多いこととなる。これにより、肌の摘み上げ効果に強弱が付与されるため、マッサージ効果が一層向上する。また、強弱２種類の摘み上げ効果が奏されることによって、使用者に肌が摘み上げられていることをより強く認識させることができるため、使用感の向上が図られる。【００６２】
また、本例では、軸線Ｌａ（Ｌｂ）と仮想垂線Ｒとのなす角（側方投影角）α１、軸線Ｌｃ（Ｌｄ）と仮想垂線Ｒとのなす角（側方投影角）α２、軸線Ｌａと軸線Ｌｂとのなす角β１、軸線Ｌｃと軸線Ｌｄとのなす角β２のそれぞれが上述のごとく設定されている。これにより、顔のように様々な方向に湾曲する部分に対して、４個のローラ２０ａ〜２０ｄのうち、後行する一対のローラによる肌の摘み上げ効果及び先行する一対のローラにより押圧効果が強すぎたり弱すぎたりせずに適度に発揮されることとなっている。そのため、美容器１によって、これらの部分に対して効果的にマッサージ効果が奏されることとなる。【００６３】
また、本例では、４個のローラ２０ａ〜２０ｄはいずれも球状に構成されているとともに、各ローラ２０ａ〜２０ｄの軸線Ｌａ〜Ｌｄは互いに傾斜している。これにより、各ローラ２０ａ〜２０ｄを肌に押し当てなくとも、各ローラ２０ａ〜２０ｄが肌面５０に接触されている状態で往復動作されることにより、互いに隣接するローラ２０ａ〜２０ｄとの間で後行する一対のローラによる肌の摘み上げ効果が効果的に奏される。【００６４】
なお、４個のローラ２０ａ〜２０ｄの形状は、楕円球形、これらの形状を組み合わせた形状を採用してもよい。また、各ローラ２０ａ〜２０ｄの外周面２１ａ〜２１ｄに、種々の形状による凹凸や突起を設けてもよい。また、外周面２１ａ〜２１ｄは平滑面の他、梨地状の面としてもよい。各ローラ２０ａ〜２０ｄはそれぞれ単一の部材から構成されていてもよいし、２以上の部材を組み合わせて構成されていてもよい。【００６５】
また、本例では、ハンドル１１は、本体１０に、第１の一対のローラ（第１ローラ２０ａ及び第２ローラ２０ｂ）から第２の一対のローラ（第３ローラ２０ｃ及び第４ローラ２０ｄ）に向かう方向に向けて本体１０から延びている。これにより、ハンドル１１を把持して、美容器１を第１の一対のローラから第２の一対のローラに向かう方向Ｙに往復動作させることが容易となる。その結果、第１の一対のローラ及び第２の一対のローラのうち、先行する一対のローラによる肌の押圧効果及び後行する一対のローラによる摘み上げ効果を容易に発揮させることができ、美容器１の操作性が向上する。【００６６】
また、４本の支持軸４０ａ〜４０ｄは先広がり状に延びているため、美容器１を一方向へ移動することによって先行する一対のローラによる肌の押圧と肌の後行する一対のローラによる摘み上げの両方が行われるとともに、美容器１を一方向のみならず、複数方向（本例では、ＰＱ方向とＵＶ方向）に往復運動させることによっても、マッサージ効果が奏される。これにより、顔のように様々な方向に湾曲する部分に使用する際の操作性が向上する。【００６７】
また、ハンドル１１は本体１０から支持軸４０ａ〜４０ｄと異なる方向に延びているため、ハンドル１１を把持する際に手とローラ２０ａ〜２０ｄとの干渉が抑制されて、ハンドル１１を把持しやすくなる。その結果、ローラ２０ａ〜２０ｄを顔のように様々な方向に湾曲する部分に沿わせて美容器１を移動させることが容易となり、操作性が向上する。【００６８】
本例では、ハンドル１１は第１の一対のローラから第２の一対のローラに向かう方向に向けて直線状に延びることとしたが、これに限らず、ハンドル１１は第１の一対のローラから第２の一対のローラに向かう方向に向けて延びるとともに厚さ方向Ｚ又は幅方向Ｘに湾曲していてもよい。また、本例では、ハンドル１１は本体１０の長手方向Ｙの端部から延設されていることとしたが、これに限らず、例えば、ハンドル１１は本体１０の略中央から延設されていてもよい。また、本体１０とは別部材によって構成したハンドル１１を本体１０から延設されるように取り付けてもよい。また、ハンドル１１は１個に限らず、複数のハンドルが備えられていてもよい。なお、複数のハンドルが備えられている場合には、複数のハンドルは互いに異なる方向に延設されていることとしてもよい。【００６９】
また、ハンドル１１は平面視において略棒状であって、その中央部１１ｃが膨出しているとともに、接続部１２が括れるようにして本体１０につながっている。これにより、ハンドル１１が把持されやすくなるとともに、ハンドル１１を把持している手が本体１０に設けられたローラ２０ａ〜２０ｄに干渉することが防止されて、操作性が一層向上する。また、本体１０は図２に示すように側方から見て、ハンドル１１と本体１０との接続部１２が括れており、ハンドル１１は本体１０に対して、本体基部１０ａ側に若干傾斜している。これにより、ハンドル１１を把持した状態で、ローラ２０ａ〜２０ｄを顔のように様々な方向に湾曲する部分の肌面５０に接触させやすくなるため、操作性に優れる。【００７０】
さらに、本体１０は、支持軸４０ａ〜４０ｄが延びている側から見て接続部１２よりも幅広に形成されている。これにより、本体１０の剛性を高めることができることから、使用時にローラ２０やハンドル１１から本体１０に対して生じる負荷によって本体が撓んだりすることが抑制される。これにより、ローラ２０を確実に肌面５０に当接させることができるため、湾曲する部分をマッサージする場合にも高いマッサージ効果が得られる。また、これにより、本体１０が耐久性に優れるため、様々な方向に湾曲する部分に使用するのに適した美容器１となる。【００７１】
さらに、支持軸４０ａ〜４０ｄは、本体１０及びローラ２０に覆われて露出していない。これにより、使用時において、支持軸４０ａ〜４０ｄに肌や髪等が触れることが防止されるため、使用者に対して余計な負荷をかけることを防止でき、使用感が向上する。【００７２】
また、本例では、４個のローラ２０ａ〜２０ｄの径Ｄ、外周面２１ａ、２１ｂ間（２１ｃ、２１ｄ間）の距離Ｗ１、外周面２１ｂ、２１ｃ間（２１ａ、２１ｄ間）の距離Ｗ２が上述のごとく設定されている。これにより、顔のように様々な方向に湾曲する部分に使用する場合において、４個のローラ２０ａ〜２０ｄが接触させることができる領域が広すぎたり、狭すぎたりせず、適切な大きさになるため、当該美容器１はかかる部分に使用されるのに適している。また、ローラ２０ａ〜２０ｄが適度な大きさとなっているため、全体の重量バランスがよく、操作性に優れる。【００７３】
本例では、図８に示すように、ハンドル１１が延びている側から見て、本体１０における支持軸４０ａ〜４０ｄが設けられる側の面である支持軸設置面１０ｅはハンドル１１よりも幅広に形成されているとともに、各支持軸４０ａ〜４０ｄは支持軸設置面１０ｅ上に所定間隔をおいて設けられており、各ローラ２０は支持軸設置面１０ｅよりも各支持軸４０ａ〜４０ｄの延びる側に位置している。これにより、本体１０の剛性を確保しつつ、隣り合うローラ２０を所定間隔に配置することができる。そのため、ハンドル１１を把持してローラ２０を顔のように様々な方向に湾曲する部分の肌面に押し当てても、隣り合うローラ２０を所定間隔に保った状態とすることができる。これにより、湾曲する部分に対して適度な肌の押圧効果と摘み上げ効果を一層効果的に奏することができるため、様々な方向に湾曲する部分に使用するのに適した美容器１となる。【００７４】
本例では、ハンドル１１は、実質的に剛体からなる。これにより、ハンドル１１が撓みにくくなるため、ハンドル１１に付与した力を各ローラ２０へ忠実に伝達できる。そのため、ハンドル１１へ付与する力加減を変化させることにより、マッサージする部位に適した強さで押圧及び摘み上げを容易に行うことができ、高いマッサージ効果が得られる。【００７５】
本例では、４本の支持軸４０ａ〜４０ｄが備えられているが、少なくとも４本の支持軸が備えられていればよく、５本以上の支持軸が備えられていてもよい。５本以上の支持軸が備えられている場合においても、本例の場合と同等の作用効果を奏することができる。【００７６】
本例では、４本の支持軸４０ａ〜４０ｄはいずれも、第１端部４２ａ〜４２ｄにおいて本体１０に固定され、第２端部４３ａ〜４３ｄにおいてローラ２０ａ〜２０ｄを回動可能に支持している。これに替えて、４本の支持軸４０ａ〜４０ｄの一部又は全部は、第２端部４３ａ〜４３ｄにローラ２０ａ〜２０ｄが固定され、第１端部４２ａ〜４２ｄにおいて本体１０に回動可能に取り付けられることにより、当該支持軸４０ａ〜４０ｄがローラ２０ａ〜２０ｄと一体的に回動可能なように、ローラ２０ａ〜２０ｄを支持することとしてもよい。この場合には、本体１０に支持軸４０ａ〜４０ｄを回動可能にするベアリング等を設ければよく、ローラ２０ａ〜２０ｄ内部に、ローラ２０ａ〜２０ｄを回動可能にするためのる必要がなくなることから、ローラ２０ａ〜２０ｄの設計自由度が向上する。なお、この場合にも本例の場合と同等の作用効果を奏することができる。【００７７】
以上のごとく、本例によれば、顔のように様々な方向に湾曲する部分をマッサージするのに適した美容器１を提供することができる。【００７８】
（実験例）
次に、軸線Ｌａ（Ｌｂ）と仮想垂線Ｒとのなす角（側方投影角）α１、軸線Ｌｃ（Ｌｄ）と仮想垂線Ｒとのなす角（側方投影角）α２の大きさを変更した場合に得られる使用感について、評価を行った。
試験方法は、側方投影角α１を０〜７０°まで５°間隔で変更し、側方投影角α２を０〜８０°まで５°間隔で変更した美容器１を被験者の顔の頬に対して使用した。なお、被験者は日本人成人男性１名とした。
評価は、使用感を４段階（とても良い：◎、良い：○、あまり良くない：△、悪い：×）で表した。評価結果を表１に示す。【００７９】
【表１】
0006480913.tif 000002
【００８０】
表１に示すように、側方投影角α１については、１５°が最も良く、０〜４０°で好ましいことが示された。また、側方投影角α２については、３０°が最も良く、２０〜６５°で好ましいことが示された。
【図１】
0006480913.tif 000003
【図２】
0006480913.tif 000004
【図３】
0006480913.tif 000005
【図４】
0006480913.tif 000006
【図５】
0006480913.tif 000007
【図６】
0006480913.tif 000008
【図７】
0006480913.tif 000009
【図８】
0006480913.tif 000010
【図９】
0006480913.tif 000011
【図１０】
0006480913.tif 000012